(57)【要約】【課題】時分割多重方式でマスタ１台に対し複数台のスレーブが接続されている場合、自端末以外の同期式通信に使用されているスロットも受信してしまうため、消費電力が大きくなるという問題があった。【解決手段】１つのマスタ端末と複数のスレーブ端末とから構成され時分割多重で接続される無線システムにおいて、マスタ端末からのパケットを受信してパケット解読する受信部１１０と、前記パケット解読結果に基づいてマスタ端末・他のスレーブ端末間の同期式通信が行われるスロットを予測する同期式通信予測部１２０と、同期式通信予測部１２０からの予測結果を受けて受信部１１０の動作を有効または無効に制御する受信動作制御部１３０とを具備する。同期式通信用パケットを受信することにより自端末以外の同期式通信を検出し、同期式通信の予約スロットを予測し、受信動作をストップする（低消費電力モード）。【選択図】  図１
2004228929.tif 000002
【特許請求の範囲】
【請求項１】
１つのマスタ端末と複数のスレーブ端末とから構成され時分割多重で接続される無線システムにおいて、
前記マスタ端末からのパケットを受信してパケット解読する受信部と、
前記パケット解読結果に基づいて前記マスタ端末・他のスレーブ端末間の同期式通信が行われるスロットを予測する同期式通信予測部と、
前記同期式通信予測部からの予測結果を受けて前記受信部の動作を有効または無効に制御する受信動作制御部とを具備する無線端末。
【請求項２】
１つのマスタ端末と複数のスレーブ端末とから構成され時分割多重で接続される無線システムにおいて、
前記マスタ端末からのパケットを受信する受信部と、
前記マスタ端末・他のスレーブ端末間の同期式通信開始のネゴシエーション通信から前記同期式通信が行われるスロットを予測する同期式通信予測部と、
前記同期式通信予測部からの予測結果を受けて前記受信部の動作を有効または無効に制御する受信動作制御部とを具備する無線端末。
【請求項３】
前記同期式通信予測部は、同期式通信開始検出から任意の時間経過後に前記マスタ端末・他のスレーブ端末間の同期式通信のパケットを受信しないときは、前記同期式通信が終了したと認識して、その動作を終了する請求項１または請求項２に記載の無線端末。
【請求項４】
前記同期式通信予測部は、前記マスタ端末・他のスレーブ端末間の同期式通信終了のネゴシエーション通信を受信したときは、前記同期式通信が終了したと認識して、その動作を終了する請求項１または請求項２に記載の無線端末。
【請求項５】
前記同期式通信予測部を複数備え、ある同期式通信予測部が動作中のときは、他の同期式通信予測部が同期式通信を検出する請求項１から請求項４までのいずれかに記載の無線端末。
【発明の詳細な説明】
【０００１】
【発明の属する技術分野】
本発明は、無線通信規格のＢｌｕｅｔｏｏｔｈに代表される時分割多重による多元接続が可能で、かつ非同期式通信と同期式通信が混在する無線通信方式に利用される無線端末に関するものである。
【０００２】
【従来の技術】
従来の無線通信規格のＢｌｕｅｔｏｏｔｈに代表される時分割多重による多元接続が可能で、かつ非同期式通信（ＡＣＬ）と同期式通信（ＳＣＯ）が混在する無線通信方式は、マスタ１台に対してスレーブ複数台が接続され、かつマスタと特定スレーブとの間でＳＣＯリンクで通信が行われている場合、ＳＣＯリンク接続の前に、マスタと特定スレーブ間でＳＣＯリンク接続開始のネゴシエーションが行われるが、特定スレーブ以外のスレーブである非特定スレーブには明示的に通知されない。特定スレーブ以外のスレーブである非特定スレーブは、マスタと特定スレーブ間のＳＣＯリンクの予約されているスロットであるＳＣＯ予約スロットが予測できないため、ＳＣＯ予約スロットにおけるマスタが送信したパケットを受信している（例えば、図８、図９及び非特許文献１参照）。
【０００３】
【非特許文献１】
“Ｂｌｕｅｔｏｏｔｈガイドブック”、宮津和弘著、２０００年８月２８日初版、日刊工業新聞社
【０００４】
【発明が解決しようとする課題】
従来の技術では、非特定スレーブとなる無線端末は、マスタ・特定スレーブ間のＳＣＯ予約スロットにおいてもその受信部でパケットを受信してしまうため、受信部が無駄な動作をし、消費電力が増大するという問題があった。
【０００５】
本発明は、このような事情に鑑みて創作したものであり、自端末の受信には無関係なマスタ・他のスレーブ間の同期式通信の期間における受信部の無駄な消費電力を削減することを目的とする。
【０００６】
【課題を解決するための手段】
上記の課題を解決するために、本発明は次のような手段を講じる。
【０００７】
第１の解決手段として、本発明による無線端末は、１つのマスタ端末と複数のスレーブ端末とから構成され時分割多重で接続される無線システムにおいて、前記マスタ端末からのパケットを受信してパケット解読する受信部と、前記パケット解読結果に基づいて前記マスタ端末・他のスレーブ端末間の同期式通信が行われるスロットを予測する同期式通信予測部と、前記同期式通信予測部からの予測結果を受けて前記受信部の動作を有効または無効に制御する受信動作制御部とを具備するものである。
【０００８】
この構成によれば、各スレーブ端末は、その受信部において、マスタ端末からのパケットを受信し、そのヘッダー情報のパケットタイプを解読し、解読結果が、マスタ端末・他のスレーブ端末間の同期式通信であるときは、その解読結果を同期式通信予測部に伝える。解読結果を受けた同期式通信予測部は、その同期式通信が行われるスロット（ＳＣＯ予約スロット）を予測し、その予測結果を受けた受信動作制御部は、その予約スロットにおいて、受信部の動作を無効にするよう制御を行う。この結果、マスタ端末との間の同期式通信が自端末宛てでない場合には、受信部を停止させて消費電力を削減することができる。
【０００９】
第２の解決手段として、本発明による無線端末は、１つのマスタ端末と複数のスレーブ端末とから構成され時分割多重で接続される無線システムにおいて、前記マスタ端末からのパケットを受信する受信部と、前記マスタ端末・他のスレーブ端末間の同期式通信開始のネゴシエーション通信から前記同期式通信が行われるスロットを予測する同期式通信予測部と、前記同期式通信予測部からの予測結果を受けて前記受信部の動作を有効または無効に制御する受信動作制御部とを具備するものである。
【００１０】
この構成によれば、各スレーブ端末は、その受信部において、マスタ端末からのパケットを受信し、その受信内容からマスタ端末・他のスレーブ端末間の同期式通信開始のネゴシエーション通信を割り出したときは、同期式通信予測部は、同期式通信開始時期やＳＣＯ周期を検出し、その同期式通信が行われるスロット（ＳＣＯ予約スロット）を予測し、その予測結果を受けた受信動作制御部は、その予約スロットにおいて、受信部の動作を無効にするよう制御を行う。この結果、マスタ端末との間の同期式通信が自端末宛てでない場合には、受信部を停止させて消費電力を削減することができる。
【００１１】
上記の第１または第２の解決手段における好ましい態様に次のものがある。
【００１２】
すなわち、前記同期式通信予測部の構成として、同期式通信開始検出から任意の時間経過後に前記マスタ端末・他のスレーブ端末間の同期式通信のパケットを受信しないときは、前記同期式通信が終了したと認識して、その動作を終了するように構成する。
【００１３】
上記において、非特定スレーブであるゆえに消費電力削減のため停止された受信部は、いつまでも停止させている訳にはいかず、いずれかの段階で自端末宛てのパケット受信を再開する必要がある。そのタイミングは、前記のマスタ端末・他のスレーブ端末間の同期式通信が終了したと判断できるタイミングである。先に受信したパケット情報から、その同期式通信がいつの時点で終了するかを求めることができる。同期式通信予測部は、その時間が経過した後に、前記同期式通信が終了したと認識して、その予測の動作を終了し、受信動作制御部を介して受信部を有効状態に復帰させる。これにより、所期通りに、自端末宛てのパケット受信を再開することができる。なお、例えば、同期式通信開始検出時にタイムアウトタイマを起動し、任意時間経過後に受信部制御を止めて通常モードに復帰するようなことが考えられる。
【００１４】
また、別の前記同期式通信予測部の構成として、前記マスタ端末・他のスレーブ端末間の同期式通信終了のネゴシエーション通信を受信したときは、前記同期式通信が終了したと認識して、その動作を終了するように構成する。
【００１５】
この場合、自端末宛てのパケット受信の再開のタイミングを、マスタ端末・他のスレーブ端末間の同期式通信終了のネゴシエーション通信の受信をもって判断するものである。上記同様に、同期式通信予測部は、前記同期式通信が終了したと認識して、その予測の動作を終了し、受信動作制御部を介して受信部を有効状態に復帰させ、所期通りに、自端末宛てのパケット受信を再開することができる。
【００１６】
上記の無線端末において、本発明を次のように展開することも好ましい。その無線端末は、前記同期式通信予測部を複数備え、ある同期式通信予測部が動作中のときは、他の同期式通信予測部が同期式通信を検出するものである。これによれば、ある同期式通信予測部がすでに動作している状態でも、別の同期式通信予測部が他の同期式通信を検出するため、様々な変化に柔軟に対応できる。
【００１７】
【発明の実施の形態】
以下、本発明にかかわる無線端末の実施の形態を図面に基づいて詳細に説明する。
【００１８】
（実施の形態１）
図１は本発明の実施の形態１における無線端末の構成を示すブロック図である。図１において、１００は無線端末、１１０はＲＦ受信部１１１とパケット解読部１１２からなる受信部、１２０は他端末ＳＣＯ実行フラグ１２１、ＳＣＯ周期カウンタ１２２、タイムアウトタイマ１２３およびＳＣＯスロット予測部１２４からなる同期式通信予測部、１３０は受信動作制御部である。
【００１９】
ＲＦ受信部１１１は、マスタ端末からスレーブ端末への無線通信を受信するように構成され、パケット解読部１１２は、ＲＦ受信部１１１が受信したパケットを解読し、送信相手先アドレスに基づいて自端末宛か他端末宛かを判断するように構成されている。
【００２０】
他端末ＳＣＯ実行フラグ１２１は、パケット解読部１１２による解読結果が他端末の同期式通信である場合に立ち上げられ、その結果をＳＣＯスロット予測部１２４に与えるように構成されている。ＳＣＯ周期カウンタ１２２は、ＳＣＯ周期をカウントし、その結果のカウント値をＳＣＯスロット予測部１２４に与えるように構成されている。ＳＣＯスロット予測部１２４は、他端末ＳＣＯ実行フラグ１２１が上がっている場合に、ＳＣＯ周期カウンタ１２２のカウント値に基づいてＳＣＯ予約スロット３００の予測を行い、その予測結果を受信動作制御部１３０に与えるように構成されている。受信動作制御部１３０は、ＳＣＯ予約スロット３００の情報を受けて、受信部１１０の受信動作を無効状態にし、一定の条件が満たされたときに有効状態に復帰する制御を行うように構成されている。
【００２１】
マスタ１台に対しスレーブ複数台が接続され、かつマスタと特定スレーブとの間で同期式通信（ＳＣＯ）が行われる状況において（図８参照）、非特定スレーブとなる無線端末は同期式通信（ＳＣＯ）の開始を次の２つの方法で検出する。
【００２２】
第１の開始検出方法（図３参照）は、ＲＦ受信部１１１で受信したパケット２００（代表的なパケット構造は図２に示す）について、パケット解読部１１２は送信相手先アドレス２０１から自端末宛てのパケットではないと判断し、かつパケットタイプ２０２から同期式通信（ＳＣＯ）に使用するパケットであると判断した場合、マスタ・特定スレーブ間で同期式通信（ＳＣＯ）が行われていると判断し、パケットタイプよりＳＣＯ周期を判断する。
【００２３】
第２の開始検出方法（図４参照）は、マスタ・特定スレーブ間の同期式通信（ＳＣＯ）が開始される前の非同期式通信（ＡＣＬ）によるネゴシエーションのパケットのＳＣＯ開始要求パケット３０１とＳＣＯ開始承諾パケット３０２をＲＦ受信部１１１で受信し、パケット解読部１１２でＳＣＯ開始時期とＳＣＯ周期を判断する。
【００２４】
第１の開始検出方法または第２の開始検出方法によって同期式通信（ＳＣＯ）の実行を検出すると、省電力モードに向けて他端末ＳＣＯ実行フラグ１２１を上げ、ＳＣＯ周期カウンタ１２２でＳＣＯ周期をカウントし、他端末ＳＣＯ実行フラグ１２１が上がっていた場合、ＳＣＯ周期カウンタ１２２のカウント値からＳＣＯスロット予測部１２４にてＳＣＯ予約スロット３００の予測を行い、受信動作制御部１３０はＳＣＯ予約スロット３００の情報を受けて受信動作の動作／停止を制御する。すなわち、予測したＳＣＯ予約スロット３００において、非特定スレーブ受信期間信号Ｓ０を無効状態（“Ｌ”レベル）に保ち、受信部１１０の動作を停止させ、無駄な電力消費を防止する（図３及び図４のＳ０参照）。
【００２５】
同期式通信（ＳＣＯ）の終了は、次の２つの方法で検出する。
【００２６】
第１の終了検出方法（図５参照）は、同期式通信（ＳＣＯ）の開始検出時にタイムアウトタイマ１２３を起動し、任意の時間経過後にＳＣＯ予約スロット３００でＳＣＯ用パケットを受信した場合は、再度、タイムアウトタイマ１２３を起動し、受信しなかった場合には同期式通信（ＳＣＯ）の終了と判断する。
【００２７】
第２の終了検出方法（図６参照）は、マスタ・特定スレーブ間の同期式通信（ＳＣＯ）が終了する前段階における非同期式通信（ＡＣＬ）によるネゴシエーションで、そのネゴシエーションのパケットのＳＣＯ終了要求パケット３０３とＳＣＯ終了承諾パケット３０４をＲＦ受信部１１１で受信し、パケット解読部１１２で同期式通信（ＳＣＯ）の終了を判断する。
【００２８】
第１の終了検出方法または第２の終了検出方法によって同期式通信（ＳＣＯ）の終了を検出すると、他端末ＳＣＯ実行フラグ１２１を下げ、通常モードに戻る。
【００２９】
なお、同期式通信（ＳＣＯ）の開始検出方法については、第１の開始検出方法と第２の開始検出方法を併用することも、いずれか一方を適用することもできる。また、同期式通信（ＳＣＯ）の終了検出方法についても、第１の終了検出方法と第２の終了検出方法を併用することも、いずれか一方を適用することもできる。
【００３０】
（実施の形態２）
上記実施の形態１では、１つの同期式通信（ＳＣＯ）を検出可能である。これを複数の同期式通信（ＳＣＯ）の検出に展開したのが実施の形態２である。
【００３１】
図７は実施の形態２の無線端末１００ａの構成を示すブロック図である。図７の無線端末は、ｎ段（ｎは整数）の同期式通信予測部１２０１〜１２０ｎを有している。この構成によれば、ｍ段（ｍは整数）目の同期式通信予測部１２０ｍが動作中で、その他端末ＳＣＯ実行フラグが上がっている場合には、他端末ＳＣＯ実行フラグが下がっているｋ段目（ｋは整数でｍと同値ではない）の同期式通信予測部１２０ｋが他の同期式通信（ＳＣＯ）を検出することで複数の同期式通信（ＳＣＯ）を検出することができる。
【００３２】
【発明の効果】
以上のように本発明によれば、マスタ端末・他のスレーブ端末間で行われる１つまたは複数の同期式通信（ＳＣＯ）を検出し、予約スロットを予測して受信動作を停止するので、消費電力を削減することができる。
【図面の簡単な説明】
【図１】本発明の実施の形態１における無線端末の構成を示すブロック図
【図２】パケット構造の説明図
【図３】本発明の実施の形態１における無線端末によるＳＣＯパケット受信による低消費電力モード開始の例を示す動作波形図
【図４】本発明の実施の形態１における無線端末によるネゴシエーションパケット受信による低消費電力モード開始の例を示す動作波形図
【図５】本発明の実施の形態１における無線端末によるタイムアウト時に非ＳＣＯパケット受信による低消費電力モード終了の例を示す動作波形図
【図６】本発明の実施の形態１における無線端末によるネゴシエーションパケット受信による低消費電力モード終了の例を示す動作波形図
【図７】本発明の実施の形態２における無線端末の構成を示すブロック図
【図８】マスタと複数スレーブとの間のＳＣＯ通信の状態を示す概念図
【図９】従来の技術におけるＳＣＯ通信のパケット送受信の例を示す動作波形図
【符号の説明】
１００  無線端末
１１０  受信部
１１１  ＲＦ受信部
１１２  パケット解読部
１２０  同期式通信予測部
１２１  他端末ＳＣＯ実行フラグ
１２２  ＳＣＯ周期カウンタ
１２３  タイムアウトタイマ
１２４  ＳＣＯスロット予測部
１３０  受信動作制御部
３００  ＳＣＯ予約スロット
Ｓ０  非特定スレーブ受信期間信号
【図１】
2004228929.tif 000003
【図２】
2004228929.tif 000004
【図３】
2004228929.tif 000005
【図４】
2004228929.tif 000006
【図５】
2004228929.tif 000007
【図６】
2004228929.tif 000008
【図７】
2004228929.tif 000009
【図８】
2004228929.tif 000010
【図９】
2004228929.tif 000011